(57)【要約】【課題】可動刃の刃体間への毛髪の導入性を向上することができるとともに、製造が容易なバリカン刃を提供する。【解決手段】固定刃１５の刃体１５ａにおける並設方向の両側の切刃部２１は、その先端側に、先端に向かうほど隣り合うそれ（刃体１５ａ）との間隔が狭くなる先端直線部２１ａを有する。可動刃１６の刃体１６ａにおける並設方向の両側の切刃部２２は、先端に向かうほど隣り合うそれ（刃体１６ａ）との間隔が広くなるように形成されるとともに、固定刃１５との摺動面に対して鋭角なすくい角を形成すべく傾斜したすくい面２２ａを有する。【選択図】図４
2010004991.tif 000002
【特許請求の範囲】
【請求項１】
刃体を多数並設してなる櫛状の固定刃及び可動刃を備え、前記固定刃の先端が前記可動刃の先端より突出するように重ねて配置され、前記可動刃を前記固定刃に対して前記刃体の並設方向に往復摺動させて毛髪を切断するためのバリカン刃において、
前記固定刃の前記刃体における前記並設方向の両側の切刃部は、その先端側に、先端に向かうほど隣り合う固定刃の刃体との間隔が狭くなる逃げ防止部を有し、
前記可動刃の前記刃体における前記並設方向の両側の切刃部は、先端に向かうほど隣り合う可動刃の刃体との間隔が広くなるように形成されるとともに、前記固定刃との摺動面に対して鋭角なすくい角を形成すべく傾斜したすくい面を有することを特徴とするバリカン刃。
【請求項２】
請求項１に記載のバリカン刃において、
前記固定刃の前記刃体における前記逃げ防止部より先端には、前記並設方向の両側の角が直角とされた直角突起部が形成されたことを特徴とするバリカン刃。
【請求項３】
請求項１に記載のバリカン刃において、
前記固定刃の前記刃体における前記逃げ防止部より先端には、前記並設方向の両側の角が鈍角とされた鈍角突起部が形成されたことを特徴とするバリカン刃。
【請求項４】
請求項１に記載のバリカン刃において、
前記固定刃の前記刃体における前記逃げ防止部より先端には、前記並設方向の両側の角がＲ形状とされたＲ形状突起部が形成されたことを特徴とするバリカン刃。
【請求項５】
請求項１乃至４のいずれか１項に記載のバリカン刃において、
前記可動刃の先端は、前記固定刃における前記逃げ防止部の基端部より先端側又は同じ位置まで突出するように配置されたことを特徴とするバリカン刃。
【請求項６】
請求項１乃至５のいずれか１項に記載のバリカン刃と、
前記バリカン刃における前記可動刃を前記並設方向に往復摺動させるための駆動源と
を備えたことを特徴とする電動バリカン。
【発明の詳細な説明】
【技術分野】
【０００１】
本発明は、固定刃に対して可動刃を往復摺動させて毛髪を切断するためのバリカン刃及びそのバリカン刃を備えた電動バリカンに関するものである。
【背景技術】
【０００２】
従来から電動バリカン等のバリカン刃としては、刃体を多数並設してなる櫛状の固定刃及び可動刃を備え、固定刃の先端が可動刃の先端より突出するように重ねて配置され、可動刃を固定刃に対して刃体の並設方向に往復摺動させて毛髪を切断するものが知られている。
【０００３】
そして、このようなバリカン刃における可動刃としては、刃体における並設方向の両側の切刃部を、刃体の先端側に向かうほど隣り合う刃体との間隔が狭くなるように傾斜した先端直線部（逃げ防止部）と、先端直線部の基端から更に基端側に向かうほど隣り合う刃体との間隔が狭くなるように傾斜した基端直線部とで構成したものがある（例えば、特許文献１参照）。
【０００４】
このようなバリカン刃では、可動刃における先端直線部にて、可動刃の刃体（切刃部）間に導入された毛髪が可動刃の刃体（切刃部）間の先端の開口から逃げ出してしまうことが低減される。
【０００５】
又、可動刃の刃体における前記並設方向の両側の切刃部、即ち前記先端直線部及び前記基端直線部は、固定刃との摺動面に対して鋭角なすくい角を形成すべく傾斜したすくい面を有することで、毛髪が可動刃の刃体における切刃部に引っ張られること（いわゆる毛引きの発生）が低減される。
【特許文献１】特開２００８−８０１１１号公報
【発明の開示】
【発明が解決しようとする課題】
【０００６】
しかしながら、上記のようなバリカン刃では、可動刃の刃体の先端に隣り合う刃体との間隔が狭くなる先端直線部（逃げ防止部）が形成されるため、可動刃の刃体間への毛髪の導入性が悪い（導入量が少ない）という問題がある。
【０００７】
又、上記のようなバリカン刃では、固定刃との摺動面に対して鋭角なすくい角を形成すべく傾斜したすくい面が複雑な（屈曲した）先端直線部及び基端直線部に形成されるため、その製造方法（すくい面の形成工程）が複雑となってしまうという問題がある。
【０００８】
本発明は、上記課題を解決するためになされたものであって、その目的は、可動刃の刃体間への毛髪の導入性を向上することができるとともに、製造が容易なバリカン刃及び電動バリカンを提供することにある。
【課題を解決するための手段】
【０００９】
上記課題を解決するために、請求項１に記載の発明では、刃体を多数並設してなる櫛状の固定刃及び可動刃を備え、前記固定刃の先端が前記可動刃の先端より突出するように重ねて配置され、前記可動刃を前記固定刃に対して前記刃体の並設方向に往復摺動させて毛髪を切断するためのバリカン刃において、前記固定刃の前記刃体における前記並設方向の両側の切刃部は、その先端側に、先端に向かうほど隣り合う固定刃の刃体との間隔が狭くなる逃げ防止部を有し、前記可動刃の前記刃体における前記並設方向の両側の切刃部は、先端に向かうほど隣り合う可動刃の刃体との間隔が広くなるように形成されるとともに、前記固定刃との摺動面に対して鋭角なすくい角を形成すべく傾斜したすくい面を有することを要旨とする。
【００１０】
同構成によれば、固定刃の刃体における並設方向の両側の切刃部は、その先端側に、先端に向かうほど隣り合う固定刃の刃体との間隔が狭くなる逃げ防止部を有するため、固定刃の刃体（切刃部）間に導入された毛髪が固定刃の刃体（切刃部）間の開口から逃げ出してしまうことが低減される。
【００１１】
又、可動刃の刃体における並設方向の両側の切刃部は、先端に向かうほど隣り合う可動刃の刃体との間隔が広くなるように形成されるため、例えば、可動刃の刃体の先端に隣り合う刃体との間隔が狭くなる逃げ防止部を形成した場合に比べて、可動刃の刃体（切刃部）間への毛髪の導入性が向上される。
【００１２】
更に、可動刃の刃体における並設方向の両側の切刃部は、固定刃との摺動面に対して鋭角なすくい角を形成すべく傾斜したすくい面を有するため、毛髪が可動刃の刃体における切刃部に引っ張られること（所謂毛引きの発生）が低減される。しかも、すくい面が形成される可動刃の刃体における切刃部は、先端に向かうほど隣り合う可動刃の刃体との間隔が広くなるだけの単純な形状であるため、例えば、逃げ防止部を有する切刃部にすくい面を形成する場合に比べて、容易に製造することができる。
【００１３】
請求項２に記載の発明では、請求項１に記載のバリカン刃において、前記固定刃の前記刃体における前記逃げ防止部より先端には、前記並設方向の両側の角が直角とされた直角突起部が形成されたことを要旨とする。
【００１４】
同構成によれば、固定刃の刃体における逃げ防止部より先端には、前記並設方向の両側の角が直角とされた直角突起部が形成されるため、例えば、直角突起部が形成されず、先端の角が鋭角となってしまう逃げ防止部が刃体の先端に形成された場合に比べて、使用時の肌当たり感を良くすることができる。
【００１５】
請求項３に記載の発明では、請求項１に記載のバリカン刃において、前記固定刃の前記刃体における前記逃げ防止部より先端には、前記並設方向の両側の角が鈍角とされた鈍角突起部が形成されたことを要旨とする。
【００１６】
同構成によれば、固定刃の刃体における逃げ防止部より先端には、前記並設方向の両側の角が鈍角とされた鈍角突起部が形成されるため、例えば、直角突起部が形成されず、先端の角が鋭角となってしまう逃げ防止部が刃体の先端に形成された場合に比べて、使用時の肌当たり感を良くすることができる。
【００１７】
請求項４に記載の発明では、請求項１に記載のバリカン刃において、前記固定刃の前記刃体における前記逃げ防止部より先端には、前記並設方向の両側の角がＲ形状とされたＲ形状突起部が形成されたことを要旨とする。
【００１８】
同構成によれば、固定刃の刃体における逃げ防止部より先端には、前記並設方向の両側の角がＲ形状とされたＲ形状突起部が形成されるため、例えば、直角突起部が形成されず、先端の角が鋭角となってしまう逃げ防止部が刃体の先端に形成された場合に比べて、使用時の肌当たり感を良くすることができる。
【００１９】
請求項５に記載の発明では、請求項１乃至４のいずれか１項に記載のバリカン刃において、前記可動刃の先端は、前記固定刃における前記逃げ防止部の基端部より先端側又は同じ位置まで突出するように配置されたことを要旨とする。
【００２０】
同構成によれば、可動刃の先端は、固定刃における逃げ防止部の基端部より先端側又は同じ位置まで突出するように配置されるため、逃げ防止部にて逃げ出すことが防止された毛髪が固定刃及び可動刃の刃体間（前記並設方向における間）に導かれ易くなり、該毛髪を効率良く切断することができる。
【００２１】
請求項６に記載の発明では、請求項１乃至５のいずれか１項に記載のバリカン刃と、前記バリカン刃における前記可動刃を前記並設方向に往復摺動させるための駆動源とを備えたことを要旨とする。
【００２２】
同構成によれば、請求項１乃至５のいずれか１項に記載の発明の効果と同様の効果を奏することができる電動バリカンを提供することができる。
【発明の効果】
【００２３】
本発明によれば、可動刃の刃体間への毛髪の導入性を向上することができるとともに、製造が容易なバリカン刃及び電動バリカンを提供することができる。
【発明を実施するための最良の形態】
【００２４】
以下、本発明を具体化した一実施形態を図１〜図４に従って説明する。
図１（ａ）（ｂ）及び図２に示すように、本実施形態の電動バリカン１０は、基端側（図１（ａ）（ｂ）において下側）略半分が把持部１１をなすハウジング１２を有し、該ハウジング１２内の略中央部には駆動源としての電動モータ１３が収容保持されている。電動モータ１３の駆動力を伝達する駆動軸１３ａは、ハウジング１２の先端部に装着される刃ブロック１４（図３参照）まで延びている。
【００２５】
刃ブロック１４は、それぞれ刃体１５ａ，１６ａ（図４参照）を多数並設してなる櫛状の固定刃１５及び可動刃１６を備え、前記駆動軸１３ａは可動刃１６に駆動連結されている。尚、本実施形態では固定刃１５及び可動刃１６にてバリカン刃が構成されている。固定刃１５及び可動刃１６は、図４に示すように、前記刃ブロック１４（図３参照）として組み付けられた状態で、固定刃１５（刃体１５ａ）の先端が可動刃１６（刃体１６ａ）の先端より突出するように重ねて配置されるとともに、固定刃１５に対して可動刃１６が刃体１６ａの並設方向に往復摺動可能とされている。
【００２６】
そして、前記把持部１１に設けられた操作スイッチ１１ａ（図１参照）が操作されることで電動モータ１３が駆動されると、その駆動力は駆動軸１３ａを介して可動刃１６に伝達され、固定刃１５に対して可動刃１６が刃体１６ａの並設方向に往復直線運動（往復摺動）することで、固定刃１５と可動刃１６による毛髪の切断が可能となる。
【００２７】
ここで、固定刃１５の刃体１５ａにおける前記並設方向の両側の切刃部２１は、逃げ防止部としての先端直線部２１ａと、基端直線部２１ｂとを有する。詳しくは、固定刃１５の刃体１５ａは、幅方向（前記並設方向）中心線Ｌ１に対して対称形状に形成されている。固定刃１５の刃体１５ａにおける先端側の先端直線部２１ａは、先端に向かうほど隣り合うそれ（刃体１５ａの先端直線部２１ａ）との間隔が狭くなるように、言い換えると、その垂線（対向方向）が斜め基端側を向くように、傾斜して形成されている。又、固定刃１５の刃体１５ａにおける基端側の基端直線部２１ｂは、前記先端直線部２１ａの基端から連続して形成されるとともに基端に向かうほど隣り合うそれ（刃体１５ａの基端直線部２１ｂ）との間隔が狭くなるように、言い換えると、その垂線（対向方向）が斜め先端側を向くように、傾斜して形成されている。
【００２８】
又、可動刃１６の刃体１６ａにおける前記並設方向の両側の切刃部２２は、幅方向（前記並設方向）中心線Ｌ２に対して対称形状に形成されている。又、可動刃１６における切刃部２２は、先端に向かうほど隣り合うそれ（刃体１６ａ）との間隔が広くなるように、言い換えると、その垂線（対向方向）が斜め先端側を向くように、傾斜して形成されている。又、可動刃１６における切刃部２２は、前記固定刃１５との摺動面（摺動方向）に対して鋭角なすくい角を形成すべく傾斜したすくい面２２ａを有する。
【００２９】
そして、可動刃１６（刃体１６ａ）の先端は、固定刃１５（刃体１５ａ）における先端直線部２１ａの基端部、言い換えると基端直線部２１ｂの先端部であって先端直線部２１ａと基端直線部２１ｂの接続位置Ａより先端側まで突出するように配置されている。又、可動刃１６（刃体１６ａ）の先端角部における切刃部２２に対する垂線Ｌ３は、前記先端直線部２１ａと交わるように設定されている。尚、本実施の形態における電動バリカン１０は、ハウジング１２に設けられたダイヤル部材２３（図１参照）を回動させることで、可動刃１６が固定刃１５の刃体１５ａの延びる方向に沿って固定刃１５に対して進退可能に設けられ、これにより毛髪の刈り高さを調整することが可能とされているが、この進退可能な範囲は上記した条件の構成から逸脱しない範囲とされている。
【００３０】
又、因みに、本実施の形態では、固定刃１５における切刃部２１（先端直線部２１ａ及び基端直線部２１ｂ）と可動刃１６における切刃部２２とで形成されるはさみ角α，βが毛髪を挟み込んで切断するのに好適な角度（例えば、０°＜α，β＜４０°）となるように設定されている。
【００３１】
上記のように構成された電動バリカン１０では、電動モータ１３を駆動し可動刃１６を固定刃１５に対して往復摺動させながら、固定刃１５の刃体１５ａと可動刃１６の刃体１６ａとの間に毛髪を導入させると、該毛髪が刃体１５ａ，１６ａに挟み込まれて切断される。
【００３２】
次に、上記実施の形態の特徴的な作用効果を以下に記載する。
（１）固定刃１５の刃体１５ａにおける並設方向の両側の切刃部２１は、その先端側に、先端に向かうほど隣り合うそれ（刃体１５ａ）との間隔が狭くなる先端直線部２１ａを有するため、固定刃１５の刃体１５ａ（切刃部２１）間に導入された毛髪が固定刃１５の刃体１５ａ（切刃部２１）間の先端の開口から逃げ出してしまうことが低減される。
【００３３】
又、可動刃１６の刃体１６ａにおける並設方向の両側の切刃部２２は、先端に向かうほど隣り合うそれ（刃体１６ａ）との間隔が広くなるように形成されるため、例えば、可動刃の刃体の先端に隣り合う刃体との間隔が狭くなる逃げ防止部（先端直線部）を形成した場合に比べて、可動刃１６の刃体１６ａ（切刃部２２）間への毛髪の導入性が向上される。
【００３４】
更に、可動刃１６の刃体１６ａにおける並設方向の両側の切刃部２２は、固定刃１５との摺動面に対して鋭角なすくい角を形成すべく傾斜したすくい面２２ａを有するため、毛髪が可動刃１６の刃体１６ａにおける切刃部２２に引っ張られること（所謂毛引きの発生）が低減される。しかも、すくい面２２ａが形成される可動刃１６の刃体１６ａにおける切刃部２２は、先端に向かうほど隣り合うそれ（刃体１６ａ）との間隔が広くなるだけの単純な形状であるため、例えば、前記逃げ防止部（先端直線部）を有する切刃部にすくい面を形成する場合に比べて、容易に製造することができる。
【００３５】
（２）可動刃１６の先端は、固定刃１５における先端直線部２１ａの基端部（先端直線部２１ａと基端直線部２１ｂの接続位置Ａ）より先端側まで突出するように配置されるため、先端直線部２１ａにて逃げ出すことが防止された毛髪が固定刃１５及び可動刃１６の刃体１５ａ，１６ａ間（前記並設方向における間）に導かれ易くなり、該毛髪を効率良く切断することができる。
【００３６】
上記実施の形態は、以下のように変更してもよい。
・上記実施の形態において、固定刃１５の刃体１５ａにおける先端直線部２１ａより先端に、図５に示すように、前記並設方向の両側の角が直角とされた直角突起部３１を形成してもよい。
【００３７】
このようにすると、例えば、上記実施の形態（図４参照）のように直角突起部３１が形成されず、先端の角が鋭角となってしまう先端直線部２１ａが刃体１５ａの先端に形成された場合に比べて、使用時の肌当たり感を良くすることができる。
【００３８】
・上記実施の形態において、固定刃１５の刃体１５ａにおける先端直線部２１ａより先端に、図６及び図７に示すように、前記並設方向の両側の角が鈍角とされた鈍角突起部３２，３３を形成してもよい。
【００３９】
このようにすると、例えば、上記実施の形態（図４参照）のように鈍角突起部３２，３３が形成されず、先端の角が鋭角となってしまう先端直線部２１ａが刃体１５ａの先端に形成された場合に比べて、使用時の肌当たり感を良くすることができる。
【００４０】
・上記実施の形態において、固定刃１５の刃体１５ａにおける先端直線部２１ａより先端に、図８に示すように、前記並設方向の両側の角がＲ形状とされたＲ形状突起部３４を形成してもよい。
【００４１】
このようにすると、例えば、上記実施の形態（図４参照）のようにＲ形状突起部３４が形成されず、先端の角が鋭角となってしまう先端直線部２１ａが刃体１５ａの先端に形成された場合に比べて、使用時の肌当たり感を良くすることができる。
【００４２】
・上記実施の形態では、可動刃１６の先端は、固定刃１５における先端直線部２１ａの基端部（先端直線部２１ａと基端直線部２１ｂの接続位置Ａ）より先端側まで突出するように配置されるとしたが、これに限定されず、例えば、可動刃１６の先端を先端直線部２１ａの基端部（前記接続位置Ａ）と同じ位置となるように配置してもよい。このようにしても、上記実施の形態の効果とほぼ同様の効果を得ることができる。又、例えば、可動刃１６の先端を先端直線部２１ａの基端部（前記接続位置Ａ）の基端側までしか突出させないように配置してもよい。
【００４３】
・上記実施の形態では、固定刃１５の刃体１５ａにおける切刃部２１は、逃げ防止部としての先端直線部２１ａと基端直線部２１ｂとからなるとしたが、先端側に、先端に向かうほど隣り合うそれ（刃体１５ａ）との間隔が狭くなる逃げ防止部を有すれば、他の形状に変更してもよい。例えば、刃体１５ａにおける切刃部２１全体を湾曲（円弧）形状に形成してもよい。
【図面の簡単な説明】
【００４４】
【図１】（ａ）本実施形態における電動バリカンの側面図。（ｂ）同じく電動バリカンの正面図。
【図２】本実施の形態における電動バリカンの断面図。
【図３】本実施の形態における刃ブロックの斜視図。
【図４】本実施の形態におけるバリカン刃の形状について説明するための説明図。
【図５】別例におけるバリカン刃の形状について説明するための説明図。
【図６】別例におけるバリカン刃の形状について説明するための説明図。
【図７】別例におけるバリカン刃の形状について説明するための説明図。
【図８】別例におけるバリカン刃の形状について説明するための説明図。
【符号の説明】
【００４５】
１３…電動モータ（駆動源）、１５…固定刃、１５ａ，１６ａ…刃体、１６…可動刃、２１，２２…切刃部、２１ａ…先端直線部（逃げ防止部）、２２ａ…すくい面、３１…直角突起部、３２，３３…鈍角突起部、３４…Ｒ形状突起部。
【図１】
2010004991.tif 000003
【図２】
2010004991.tif 000004
【図３】
2010004991.tif 000005
【図４】
2010004991.tif 000006
【図５】
2010004991.tif 000007
【図６】
2010004991.tif 000008
【図７】
2010004991.tif 000009
【図８】
2010004991.tif 000010